(57)【要約】      （修正有）【課題】一定期間コンテナヤード等に留め置かれる貨物コンテナについて、その留め置かれる期間中の太陽光に晒されるコンテナの天板上に設置及び取り外しが可能な貨物コンテナ用太陽光発電パネル設置台を提供する。【解決手段】貨物コンテナ用太陽光発電パネル設置台１は、ＩＳＯ規格貨物コンテナの天板の四隅の横長の開口（コーナーポケット）と同じ大きさ、形状の横長の開口（コーナーポケット）を前記ベース板２の四隅に備えたことにより、この開口（コーナーポケット）を利用して、貨物コンテナ用太陽光発電パネル設置台１を貨物コンテナの屋根に容易に設置し、また、不要となる場合には、容易に取り外し可能とするものである。【選択図】図１
0003189998.tif 000002
【実用新案登録請求の範囲】
【請求項１】
ISO規格の貨物コンテナの天板の四隅に設けられる横長の開口に対応する横長開口を底部ベース板四隅に設けたことを特徴とする貨物コンテナ用太陽光発電パネル設置台。
【請求項２】
前記貨物コンテナ用太陽光発電パネル設置台は、その天板四隅にISO規格の貨物コンテナの天板の四隅に設けられる横長の開口と同じ横長開口を設けたことを特徴とする請求項１に記載の貨物コンテナ用太陽光発電パネル設置台。
【請求項３】
前記底部ベース板四隅に設けられる横長開口は、ツイストロック固定具が介在して固定されることを特徴とする請求項１又は２に記載の貨物コンテナ用太陽光発電パネル設置台。
【請求項４】
前記貨物コンテナ用太陽光発電パネル設置台は、発電電力の小口売電のためのパワーコンディショナーを備えたことを特徴とする請求項１又は２に記載の貨物コンテナ用太陽光発電パネル設置台。  
【考案の詳細な説明】
【技術分野】
【０００１】
本考案は、貨物コンテナ、特に、ISO（国際標準化機構：International Organization for Standardization）に適合する貨物コンテナ用太陽光発電パネル設置台に関する。
【背景技術】
【０００２】
ISO（国際標準化機構：International Organization for Standardization）に適合する貨物コンテナとは、輸送効率等のため、その縦横高さの寸法が国際的に規格化されたコンテナをいい、長さ２０フィート (6,096mm)、４０フィート (12,192mm) の２種類で、幅は８フィート (2,438mm)、高さは８フィート６インチ (2,591mm)に規格化されたものが普及している。そして、特徴的なのは、コンテナ上下面（天板及び底板）の四隅には図８に示すように、コンテナ固定金具用の横長（長方形状）の開口（コーナーポケット）が施されている。図８は、ISO規格の２０フィートコンテナの概略を示す図であり、図８において、符号１００は、貨物コンテナ、１０１は、天板（屋根）、１０２は、前記天板（屋根）１０１の四隅に設けられる横長の開口（コーナーポケット）である。図８に示されるように、ISO規格の貨物コンテナ１００の前記天板（屋根）１０１の四隅には、横長の前記開口（コーナーポケット）１０２が設けられれ、当該貨物コンテナ１００を輸送する場合に、上記四隅の開口(コーナーポケット)１０２にロックピンを挿入してコンテナを掴むことができるスプレッダという専用の装置を備えたガントリークレーンやカントリークレーンと称される特殊な荷役装置を用いて３０トンにもなりうる貨物コンテナ１００を迅速・確実に積み込み・積み降ろしを可能とするものである。
【０００３】
また、貨物コンテナに太陽光発電パネルが設置されたものとしては、例えば、特開２００６−２７３４１３号公報に開示のものが知られている。特開２００６−２７３４１３号公報の開示は、発明名称「輸送用コンテナ、及びこれを用いたセメント原燃料輸送方法」に係り、「コンテナ内部に溜まった臭気成分等を含むガスを効率的に除去し、しかも臭気成分等を外部に拡散させずに周囲の環境を良好に保つことができる輸送用コンテナ及びセメント原燃料輸送方法を提供する」ことの目的において(同公報明細書段落番号０００７参照)、「内部に積載物を積載可能に構成されたコンテナ本体と、前記コンテナ本体の内部において前記積載物から生じる気体の滞留箇所に吸気口を有する吸気管と、前記吸気管から吸気された前記気体を排出口を介して前記コンテナの外部に排出する排出管と、前記コンテナ本体内部に配置され前記吸気管と前記排出管の間に配置され前記吸気口から前記排出口に向かう前記気体の流動を生じさせる排気ファンと、前記コンテナ本体内部に配置され吸気された前記気体を吸着する吸着装置と、前記コンテナ本体内部に配置され前記排気ファンを駆動するためのバッテリと、前記バッテリを充電するため前記コンテナ本体の外壁面に設置された太陽光発電装置とを備えたことを特徴とする輸送用コンテナ(請求項３)」とする構成により(同公報特許請求の範囲の記載参照：下線は本願出願人において付した)、「コンテナ内部に溜まった気体を吸着しながら排気ファンにより外部へ強制的に排気することができ、積載物積み降ろし作業時の処理場等の作業環境を良好にすることが出来ると共に、コンテナ内部に気体が溜まってコンテナ内部の圧力が上昇した状態において、振動等の突発的な事情により溜まった大量のガスが外部に排気され、駅や貨物ターミナル等の環境が悪化することを防止することができる。また、排気ファン、吸着装置及びバッテリがコンテナ本体内部に配置されるため、輸送手段に拘わらず、気体の排出を行うことが可能になる。加えて、コンテナ内部のバッテリは、外部電源等により適宜充電することができる。このため、トラックによる幹線道路輸送を、トラック、船舶、鉄道等を組み合わせた輸送に切り替えるモーダルシフトを促進することができる。」等の効果を奏するものである（同公報明細書段落番号００１１参照）。
【０００４】
しかしながら、特開２００６−２７３４１３号公報に開示のコンテナは、コンテナそれ自体の外壁面に太陽光発電装置を設置するというものであり、それはそれで便宜なものであるかも知れないが、全ての貨物コンテナ全般に必須なものではない。
【０００５】
本願考案は、単に、貨物コンテナ外壁面に太陽光発電装置を具備するだけに止まらず、貨物コンテナの天板（屋根）に設置又は取り外し自由な貨物コンテナ用太陽光発電パネル設置台を案出したことにある。すなわち、貨物コンテナは、コンテナ内に輸送する貨物を積載して目的地まで運ぶためのものであるが、貨物コンテナを利用する貨物の輸送には、貨物コンテナ内に輸送貨物を積み込み、目的地で積み下ろす、いわゆる積み込み、積み降ろし作業を含む荷役作業が必須である。しかしながら、このような積載貨物の荷役については、荷役作業が滞りなく行われることはなく、実際問題として、コンテナ内に貨物を積み込む際に、また、貨物が積み込まれた貨物コンテナをコンテナ船や貨車、貨物自動車等に積み込み又は積み降ろしの際等の、いわゆる船待ち、貨車待ちの際には、一定の時間を要するし、また、輸出入に関する通関等の手続などの場合にも一定の時間を要することは避けられない。このような一定の期間、貨物コンテナはコンテナヤードと称される所定の集積地に積み置かれることが多い。
【先行技術文献】
【特許文献】
【０００６】
【特許文献１】特開２００６−２７３４１３号公報
【考案の概要】
【考案が解決しようとする課題】
【０００７】
本願考案は、このような貨物コンテナの取扱事情に鑑み、これら一定期間コンテナヤード等に留め置かれる貨物コンテナについて、その留め置かれる期間中の太陽光に晒されるコンテナの天板上に設置及び取り外しが可能な貨物コンテナ用太陽光発電パネル設置台を提供せんとするものである。
また、本願出願人は、既に、ビル屋上に設置する太陽光発電パネルについて、「太陽光発電設置台（実用新案登録第３１８６５６８号）」及び「太陽光発電パネルの小口売電額算定装置（特願２０１２−１６４１０６号）」を提案しており、本願考案は、このような所定の広さの土地に一定期間止め置かれる貨物コンテナや輸送期間中の太陽光に晒される貨物コンテナの屋根に設置及び取り外しが自由な太陽光発電パネルを設置し、上記小口売電にも応用しようとするものである。
【課題を解決するための手段】
【０００８】
上記課題解決のため、本願請求項１に係る考案は、貨物コンテナ用太陽光発電パネル設置台において、ISO規格の貨物コンテナの天板の四隅に設けられる横長の開口に対応する横長開口を底部ベース板四隅に設けたことを特徴とする。
また、本願請求項２に係る考案は、前記請求項１に係る貨物コンテナ用太陽光発電パネル設置台において、前記貨物コンテナ用太陽光発電パネル設置台は、その天板四隅にISO規格の貨物コンテナの天板の四隅に設けられる横長の開口と同じ横長開口を設けたことを特徴とする。
さらに、本願請求項３に係る考案は、前記請求項１又は２に係る貨物コンテナ用太陽光発電パネル設置台において、前記底部ベース板四隅に設けられる横長開口は、ツイストロック固定具が介在して固定されることを特徴とする。
そして、本願請求項４に係る考案は、前記請求項１又は２に係る貨物コンテナ用太陽光発電パネル設置台において、前記貨物コンテナ用太陽光発電パネル設置台は、発電電力の小口売電のためのパワーコンディショナーを備えたことを特徴とする。
【考案の効果】
【０００９】
本願考案によれば、所定の広さの土地やコンテナ船上に太陽光下で一定期間止め置かれる貨物コンテナの屋根に設置及び取り外しが自在な太陽光発電パネル設置台とすることにより、貨物コンテナの屋根に設置及び取り外しが自由な太陽光発電パネル設置台を提供することができ、同設置台により、所定期間放置されるコンテナを利用した太陽光発電を可能とし、さらには、発電した電力の効率的売電を可能とするものである。
【図面の簡単な説明】
【００１０】
【図１】図１は、本考案に係る貨物コンテナ用太陽光発電パネル設置台を実施するための一実施例である貨物コンテナ用太陽光発電パネル設置台の実施例１の概略図である。
【図２】図２は、図１に示した本実施例１に係る貨物コンテナ用太陽光発電パネル設置台１の全体の概略構成を示す図である。
【図３】図３は、本実施例１に係る貨物コンテナ用太陽光発電パネル設置台１の内部骨組構造の概略の一部分を示す図である。
【図４】図４は、ＴＡＩＹＯ社製固定金具（ツイストロック：Ｎ−１Ｌ−５０）の概略を示す図である。
【図５】図５は、本実施例１に係る貨物コンテナ用太陽光発電パネル設置台１をISO規格の貨物コンテナの四隅の係合状態の概略を示す図である。
【図６】図６は、貨物コンテナの屋根に本実施例１に係る貨物コンテナ用太陽光発電パネル設置台１を設置して太陽光発電を実施する状態の概略を示す図である。
【図７】図７は、本実施例２に係る貨物コンテナ用の太陽光発電パネル設置台４０の概略を示す図である。
【図８】図８は、ISO規格の２０フィートコンテナの概略を示す図である。
【考案を実施するための形態】
【００１１】
本考案に係る貨物コンテナ用太陽光発電パネル設置台を実施するための形態として一実施例を示す図面に基づき詳細に説明する。
【実施例１】
【００１２】
図１は、本考案に係る貨物コンテナ用太陽光発電パネル設置台を実施するための一実施例である貨物コンテナ用太陽光発電パネル設置台の実施例１の概略図である。
図１において、１は、本実施例１に係る貨物コンテナ用太陽光発電パネル設置台、２は、ベース板、３、３、３・・・は、太陽光発電パネル、４は、カバー、５，５，５、・・・は、間カバー、１５、１５、１５、１５は、吊り下げ孔である。
【００１３】
図２は、図１に示した本実施例１に係る貨物コンテナ用太陽光発電パネル設置台１の全体の概略構成を示す図であり、図３は、本実施例１に係る貨物コンテナ用太陽光発電パネル設置台１の内部骨組構造の概略の一部分を示す図であり、前記カバー４を省略して描いている。図２、図３において、符号１、２、３、４、５は、それぞれ図１に示す貨物コンテナ用太陽光発電パネル設置台１、ベース板２、太陽光発電パネル３、３、３・・・、カバー４、間カバー５、５、５・・・、吊り下げ孔１５、１５、１５、１５であり、その余の６、６、６、６は、前記ベース板の四隅に設けられる開口（コーナーポケット）、７，７は、チャネル架台、８、８、８・・・は、横支持金具、９は、当該横支持金具８を係止する固定具、１０は、摺動固定具、１１は、前記太陽光発電パネル３の側部突出部、１２は、支持金具、１３は、ボルト材、１４は、ナット材、１６は、支持金具である。
【００１４】
図２から明らかなように、本実施例１に係る貨物コンテナ用太陽光発電パネル設置台１は、例えば、図８に示したISO規格に適合する長さ２０フィート （６０９６ｍｍ×幅８フィート （２４３８ｍｍ）の大きさの貨物コンテナに対し、１，６５７ｍｍ×８５８ｍｍの大きさの太陽光発電パネル３、３・・・を７枚使用することを想定している。したがって、本実施例１に係る貨物コンテナ用太陽光発電パネル設置台１においては、長さ２０フィート （６０９６ｍｍ×幅８フィート （２４３８ｍｍ）の大きさの貨物コンテナに対し、例えば、長さ２０フィート （６０９６ｍｍ×幅８フィート （２４３８ｍｍ）の前記ベース板２が使用される。
【００１５】
そして、このベース板２上に所定の位置に接着剤等で前記支持金具１６、１６、１６、１６を配置し、その上に所定長の前記チャネル架台７、７を所定の幅間隔で固定裁置する。そして、その上に、本実施例１に係る貨物コンテナ用太陽光発電パネル設置台１の広さに対応する７枚の太陽光発電パネル３、３・・を裁置するための８本の前記横支持金具８、８、８・・・が直角に固定配置され、図３に示されるように、前記チャネル架台７、７上の適宜の位置に、断面逆Ｌ字形状の前記固定具９を配置し、前記チャネル架台７、７の所定位置、例えば、１，６５７ｍｍ×８５８ｍｍの大きさの太陽光発電パネル３、３・・・が７枚使用される太陽光発電パネル３、３・・の幅寸法に合わせた所定位置に前記固定具９を配置する。
【００１６】
図３から明らかなように、前記ベース板２上に所定の間隔で配置される前記支持金具１６の上に前記チャネル架台７が裁置され、その上に、前記横支持金具８を複数配置し、その間に前記太陽光発電パネル３、３が配置されるようにしたものである。
そして、前記固定具９の逆Ｌ字形状の隙間には、前記横支持金具８の片側底部を係合し、しかる後、同横支持金具８の反対側から前記摺動固定具１０で同反対側片側底部を挟み込み前記横支持金具８に固定する。
当該横支持金具８には、前記太陽光発電パネル３の側部突出部１１が間挿裁置され、所定枚数（７枚）の太陽光発電パネル３、３、・・・が設置される。太陽光発電パネル３，３の間には、前記間カバー５が配置され、前記横支持金具８の間に挿入される支持金具１２との間で前記ボルト材１３で固定する。
【００１７】
次に、本実施例１に係る貨物コンテナ用太陽光発電パネル設置台１を貨物コンテナへの設置について説明する。
前述するように、図８に示すISO規格の貨物コンテナには、コンテナ上下面の四隅にはコンテナ固定金具用の横長の開口（コーナーポケット）が施されている。これは前述してきたように、この四隅の開口(コーナーポケット)にロックピン（図示外）を挿入し固定してコンテナを掴むことができるスプレッダという専用の装置を備えたガントリークレーンやカントリークレーンと称される特殊な荷役装置を用いて貨物コンテナを迅速・確実に積み込み・積み降ろしを可能とし、さらには、数個のコンテナを高さ方向に重ね又は横方向に並べて固定する開口（コーナーポケット）であり、貨物コンテナの固定には、図４に示すような固定金具（ツイストロック）が使用される。
【００１８】
図４は、ＴＡＩＹＯ社製固定金具（ツイストロック：Ｎ−１Ｌ−５０）の概略を示す図であり、図４において、２０は、固定具（ツイストロック）、２１は、前記横長の開口（コーナーポケット）に対応する平面視方形形状の上部ピン、２２は、前記横長の開口（コーナーポケット）に対応する平面視方形形状の下部ピン、２３は、ハンドル、２４は、ベース材であり、前記上部ピン２１及び前記下部ピン２２は、上段の前記貨物コンテナの底板及び下段のコンテナの天板の四隅開けられた横長の開口（コーナーポケット）を突き抜け、前記ベース材２４の上下面が上下のコンテナの底板及び天板に当接される。
【００１９】
当該固定具（ツイストロック）２０を用いて貨物コンテナを上下に積み重ね固定するには、前記ハンドル２３をアンロック状態のまま下段の貨物コンテナの四隅の横長の開口（コーナーポケット）に方形形状の前記下部ピン２２を挿入させて貨物コンテナの四隅に当該固定具（ツイストロック）２０を裁置し、さらに、この状態で、上段に積み重ねる貨物コンテナの底板の横長の開口（コーナーポケット）に前記固定具（ツイストロック）２０の平面視方形形状の前記上部ピン２１を挿通させ、前記ハンドル２３をロック状態に移動させる。そうすると、前記ハンドル２３の回転に伴って前記上部ピン２１及び下部ピン２２が回動し、前記上部ピン２１及び前記下部ピン２２が直角に回動し、前記横長開口（コーナーポケット）から抜けなくなり、上下の貨物コンテナが抜けたり、ずり落ちたりすることなく固定される。
【００２０】
本実施例１に係る貨物コンテナ用太陽光発電パネル設置台１は、ISO規格貨物コンテナの天板の四隅の横長の開口（コーナーポケット）と同じ大きさ、形状の横長の開口（コーナーポケット）を前記ベース板２の四隅に備えたことにより、この開口（コーナーポケット）６を利用して、本実施例１に係る貨物コンテナ用太陽光発電パネル設置台１を貨物コンテナの屋根に容易に設置し、また、不要となる場合には、容易に取り外し可能とするものである。
図５は、本実施例１に係る貨物コンテナ用太陽光発電パネル設置台１をISO規格の貨物コンテナの四隅の係合状態の概略を示す図であり、左側の固定具（ツイストロック）２０は、装着前の状態を、右上の固定具（ツイストロック）２０は、装着された固定状態を示している。
【００２１】
本実施例１に係る貨物コンテナ用太陽光発電パネル設置台１によれば、コンテナ輸送において荷役の際にコンテナヤード等の所定期間留め置かれる貨物コンテナの屋根スペースを利用して容易に太陽光発電を行うことができ、かつ、荷役作業に応じて、容易に設置・取り外しを可能とすることができる。
【００２２】
図６は、貨物コンテナの屋根に本実施例１に係る貨物コンテナ用太陽光発電パネル設置台１を設置して太陽光発電を実施する状態の概略を示す図であり、発電された電力によって市販の自動販売機を稼働させる例を示している。図６において、１は、本実施例１に係る貨物コンテナ用太陽光発電パネル設置台であり、３０は自動販売機、３１は、電力引き込み線、３２は、太陽光発電電力引き込み線、３３は、電柱であり、本実施例１に係る貨物コンテナ用太陽光発電パネル設置台１では、自動販売機３０を稼働する外、余剰の電力は従来の引き込み線３１を通じて近くの電柱３３から売電するようにする。いわゆる、小口売電であり、本実施例１に係る貨物コンテナ用太陽光発電パネル設置台１は、小口売電に対応可能なパワーコンディショナーを備えている。
【実施例２】
【００２３】
本実施例１に係る貨物コンテナ用太陽光発電パネル設置台１では、同設置台１の設置又は取り外しに際しては、前記カバー４の所定位置に所定の形状の前記吊り下げ孔１５、１５、１５、１５を設け、当該吊り下げ孔１５、１５、１５、１５から前記チャネル架台７、７にロープ又はワイヤ等を掛け廻して同設置台１をクレーン等で吊り下げるようにしている。
しかしながら、このようなロープ又はワイヤ等を開口を介して掛け廻し、吊り下げる等の作業は、作業員が相当の高さまで登って作業をしなければならず不便であり、作業工程を要する。
【００２４】
そこで、本願考案の実施例２として、コンテナを吊り下げる前記スプレッダを使用することができる本実施例２に係る貨物コンテナ用太陽光発電パネル設置台を検討した。
図７は、本実施例２に係る貨物コンテナ用の太陽光発電パネル設置台４０の概略を示す図であり、本実施例２に係る貨物コンテナ用太陽光発電パネル設置台４０は、長さや幅、高さを実施例１に係る貨物コンテナ用太陽光発電パネル設置台１と変わらない。しかしながら、本実施例２に係る貨物コンテナ用太陽光発電パネル設置台４０は、周辺に傾斜する前記カバー４は設けず、その上部面は、構造上貨物コンテナと同様の頑丈な材質からなり、また、通常の貨物コンテナの天板と同様に平坦であり、さらに、四隅にスプレッダ用の横長開口（コーナーポケット）が設けられている。
【００２５】
したがって、本実施例２に係る貨物コンテナ用太陽光発電パネル設置台４０を吊り下げる場合には、スプレッダを備えたガントリークレーンやカントリークレーンにより、スプレッダの吊り下げロックピン（図示外）を前記開口（コーナーポケット）に契合させ、本実施例２に係る貨物コンテナ用太陽光発電パネル設置台４０を吊り下げるようにする。
なお、本実施例１に係る貨物コンテナ用太陽光発電パネル設置台１をISO規格貨物コンテナに設置、取り外しを行う場合には、図４に示した手動で前記ハンドル２３を回動させるセミオート式固定具（ツイストロック）２０の例で説明したが、これは、コンテナ等の自重で回動が達成されるフルオート式固定具を使用しても良い。
【００２６】
また、本実施例１に係る貨物コンテナ用太陽光発電パネル設置台１や本実施例２に係る貨物コンテナ用太陽光発電パネル設置台４０もISO20フィート (6,096mm)規格のコンテナ屋根に設置するものを想定したが、これは40フィート (12,192mm)規格のコンテナに設置するものであっても構わないし、また、必ずしも、コンテナ天井の全部を使用するものでなくても、半分のハーフサイズのもの等、サイズに限定されない。貨物コンテナの天井部分に設置するものであれば、大きさや構造上の違いに限定されるものではない。 
【産業上の利用可能性】
【００２７】
本考案は、ISO規格の貨物コンテナの天板上に設置、取り外しが自由な貨物コンテナ用太陽光発電パネル設置台として利用される。
【符号の説明】
【００２８】
１ 実施例１に係る貨物コンテナ用太陽光発電パネル設置台
２ ベース板
３，３、３・・・ 太陽光発電パネル
４ カバー
５、５、５・・・ 間カバー
６、６、６、６ 開口
７、７ チャネル架台
８、８、８・・・ 横支持金具
９ 固定具
１０ 摺動固定具
１１ 側部突出部
１２ 支持金具
１３ ボルト材
１５、１５、・・ 吊り下げ孔
１６、１６、・・ 支持金具
２１ 上部ピン
２２ 下部ピン
２３ ハンドル
２４ ベース材
３０ 自動販売機
３１ 電力引き込み線
３２ 太陽光発電電力引き込み線
３３ 電柱
４０ 実施例２に係る貨物コンテナ用太陽光発電パネル設置台
１００ 貨物コンテナ
１０１ 天板（屋根）
１０２ 開口（コーナーポケット）
【図１】
0003189998.tif 000003
【図２】
0003189998.tif 000004
【図３】
0003189998.tif 000005
【図４】
0003189998.tif 000006
【図５】
0003189998.tif 000007
【図６】
0003189998.tif 000008
【図７】
0003189998.tif 000009
【図８】
0003189998.tif 000010